(57)【要約】【課題】発光ブロック毎に発光を制御可能な発光手段を備える画像表示装置において発光手段の輝度の計算に要する計算量を低減する。【解決手段】フレーム間の制御値の変化に基づき発光手段の輝度の変化を算出することにより現フレームの発光手段の輝度を算出する算出手段を備え、算出手段は、複数の発光ブロックの集合である大ブロック毎に、制御値に変化がある発光ブロックのうち少なくとも１個の発光ブロックについて制御値に変化がないとみなすとともに、制御値に変化がない発光ブロック以外の発光ブロックの制御値の変化に基づき輝度の変化の算出を行う第１の計算量低減、又は、少なくとも２個の発光ブロックについて制御値の変化が大ブロック差分に等しいとみなすとともに、大ブロックと、前記少なくとも２個の発光ブロック以外の発光ブロックと、について、制御値の変化に基づき輝度の変化の算出を行う第２の計算量低減を行う。【選択図】図１
2015179178.tif 000002
【特許請求の範囲】
【請求項１】
独立に発光を制御可能な複数の発光ブロックからなる発光手段と、
画像データに基づき前記発光手段からの光の透過率を調節することにより画像を表示する表示手段と、
前記発光ブロック毎に発光の制御値を決定する決定手段と、
複数の前記発光ブロックの集合である大ブロックにより前記発光手段を分割し、各発光ブロック及び各大ブロックについて、対象フレームとその前フレームとの間の制御値の変化に基づき前記発光手段の輝度の変化を算出することにより、対象フレームにおける前記発光手段の輝度を算出する算出手段と、
を備え、
前記算出手段は、大ブロック毎に、
大ブロックに含まれる制御値に変化がある発光ブロックのうち少なくとも１個の発光ブロックについて、制御値に変化がないとみなすとともに、制御値に変化がない発光ブロック及び制御値に変化がないとみなした発光ブロック以外の発光ブロックについて、制御値の変化に基づく前記発光手段の輝度の変化の算出を行う第１の計算量低減、又は、
大ブロックに含まれる少なくとも２個の発光ブロックについて、制御値の変化が、当該少なくとも２個の発光ブロックの制御値に応じて定められる大ブロック差分に等しいとみなすとともに、大ブロックと、前記少なくとも２個の発光ブロック以外の発光ブロックと、について、制御値の変化に基づく前記発光手段の輝度の変化の算出を行う第２の計算量低減を行う画像表示装置。
【請求項２】
前記算出手段は、大ブロックに含まれる発光ブロックのうち制御値に変化がある発光ブロックの数が閾値より多い場合に、前記第１の計算量低減又は前記第２の計算量低減を行う請求項１に記載の画像表示装置。
【請求項３】
前記算出手段は、大ブロックに含まれる発光ブロックのうち制御値に変化がある発光ブロックの数が閾値以下である場合、前記第１の計算量低減及び前記第２の計算量低減を行わず、制御値に変化がある発光ブロックについて、制御値の変化に基づく前記発光手段の輝度の変化の算出を行う請求項１又は２に記載の画像表示装置。
【請求項４】
前記算出手段は、第１の計算量低減において、制御値の変化が負である発光ブロックについて、制御値に変化がないとみなす請求項１〜３のいずれか１項に記載の画像表示装置。
【請求項５】
前記算出手段は、第２の計算量低減において、制御値の変化が前記大ブロック差分以下である少なくとも２個の発光ブロックについて、制御値の変化が前記大ブロック差分に等しいとみなす請求項１〜４のいずれか１項に記載の画像表示装置。
【請求項６】
前記算出手段は、前記第２の計算量低減において、前記大ブロック差分を前記大ブロックの制御値の変化とみなす請求項１〜５のいずれか１項に記載の画像表示装置。
【請求項７】
前記算出手段は、前記第２の計算量低減において、前記少なくとも２個の発光ブロック以外の発光ブロックについて、その発光ブロックの制御値の変化と前記大ブロックの制御値の変化との差分に基づき前記発光手段の輝度の変化の算出を行う請求項１〜６のいずれか１項に記載の画像表示装置。
【請求項８】
前記第１の計算量低減において、制御値に変化がない発光ブロック及び制御値に変化がないとみなされる発光ブロック以外の発光ブロックの数は閾値以下である請求項１〜７のいずれか１項に記載の画像表示装置。
【請求項９】
前記第２の計算量低減において、大ブロックと、前記少なくとも２個の発光ブロック以外の発光ブロックと、を合わせた数は閾値以下である請求項１〜８のいずれか１項に記載の画像表示装置。
【請求項１０】
前記算出手段は、大ブロックに含まれる発光ブロックのうち制御値の変化が正である発光ブロックの数が閾値以下である場合、前記第１の計算量低減を行い、それ以外の場合、前記第２の計算量低減を行う請求項１〜９のいずれか１項に記載の画像表示装置。
【請求項１１】
前記算出手段は、前記第１の計算量低減において、制御値に変化がある発光ブロックのうち制御値の変化が負であって絶対値が小さい発光ブロックを優先的に制御値に変化がないとみなす請求項１〜１０のいずれか１項に記載の画像表示装置。
【請求項１２】
前記算出手段は、前記第２の計算量低減において、大ブロックに含まれる発光ブロックの制御値の変化のうち最も大きい値を前記大ブロック差分とする請求項１〜１１のいずれか１項に記載の画像表示装置。
【請求項１３】
前記算出手段は、前記第２の計算量低減において、大ブロックに含まれる発光ブロックの制御値の変化が前記大ブロック差分に近い発光ブロックを優先的に制御値の変化が前記大ブロック差分に等しいとみなす請求項１〜１２のいずれか１項に記載の画像表示装置。
【請求項１４】
前記算出手段は、前フレームについて算出した前記発光手段の輝度と、前記算出した輝度の変化と、の和を対象フレームについての前記発光手段の輝度とする請求項１〜１３のいずれか１項に記載の画像表示装置。
【請求項１５】
前記算出手段により算出される前記発光手段の輝度に基づき、前記画像データを補正する補正手段を更に備える請求項１〜１４のいずれか１項に記載の画像表示装置。
【請求項１６】
前記決定手段は、対象フレームの画像データに基づいて前記発光ブロック毎に仮の制御値を算出し、前記発光ブロック毎の仮の制御値と、前フレームにおける前記発光ブロック毎の制御値と、の差分である基準差分を算出し、前記基準差分に基づき、前記大ブロック毎の差分である第１の差分と、前記発光ブロック毎の差分から前記第１の差分を引いて求めた前記発光ブロック毎の差分である第２の差分と、を算出し、各発光ブロックについて、前フレームについて決定した制御値と、各発光ブロックが属する大ブロックについての前記第１の差分と、各発光ブロックについての前記第２の差分と、の和を対象フレームについての制御値として決定する請求項１〜１５のいずれか１項に記載の画像表示装置。
【請求項１７】
前記算出手段は、前記第１の差分が０でない大ブロックについて前記第１の差分に基づき輝度の変化を算出し、前記第２の差分が０でない発光ブロックについて前記第２の差分に基づき輝度の変化を算出し、それらの算出した輝度の変化と、前フレームについて算出した前記発光手段の輝度と、の和によって、対象フレームについての前記発光手段の輝度を算出する請求項１６に記載の画像表示装置。
【請求項１８】
前記第１の差分が０でない大ブロックの数と前記第２の差分が０でない発光ブロックの数との合計は閾値以下であり、かつ、対象フレームの各発光ブロックの制御値は各発光ブロックの前記仮の制御値以上である請求項１６又は１７に記載の画像表示装置。
【請求項１９】
独立に発光を制御可能な複数の発光ブロックからなる発光手段と、
画像データに基づき前記発光手段からの光の透過率を調節することにより画像を表示する表示手段と、を備える画像表示装置の制御方法であって、
前記発光ブロック毎に発光の制御値を決定する決定工程と、
複数の前記発光ブロックの集合である大ブロックにより前記発光手段を分割し、各発光ブロック及び各大ブロックについて、対象フレームとその前フレームとの間の制御値の変化に基づき前記発光手段の輝度の変化を算出することにより、対象フレームにおける前記発光手段の輝度を算出する算出工程と、
を有し、
前記算出工程では、大ブロック毎に、
大ブロックに含まれる制御値に変化がある発光ブロックのうち少なくとも１個の発光ブロックについて、制御値に変化がないとみなすとともに、制御値に変化がない発光ブロック及び制御値に変化がないとみなした発光ブロック以外の発光ブロックについて、制御値の変化に基づく前記発光手段の輝度の変化の算出を行う第１の計算量低減、又は、
大ブロックに含まれる少なくとも２個の発光ブロックについて、制御値の変化が、当該少なくとも２個の発光ブロックの制御値に応じて定められる大ブロック差分に等しいとみなすとともに、大ブロックと、前記少なくとも２個の発光ブロック以外の発光ブロックと、について、制御値の変化に基づく前記発光手段の輝度の変化の算出を行う第２の計算量低減を行う画像表示装置の制御方法。
【発明の詳細な説明】
【技術分野】
【０００１】
本発明は、画像表示装置及びその制御方法に関する。
【背景技術】
【０００２】
独立に発光を制御可能な複数の発光ブロックを有するバックライトを備え、画像データに応じて発光ブロック毎に発光を制御する画像表示装置がある。また、画像データに応じて発光ブロック毎にバックライトの発光量を低下させるとともに、発光量の低下に応じて発光ブロックに対応する領域の画像を補正する技術がある。これらの技術はローカルディミングと呼ばれる。ローカルディミングにより表示画像のコントラストを向上させることができ、黒浮きを抑制することができる（例えば、特許文献１参照）。
【先行技術文献】
【特許文献】
【０００３】
【特許文献１】特開２００２−９９２５０号公報
【発明の概要】
【発明が解決しようとする課題】
【０００４】
ローカルディミングにおいて画像補正を行うためにバックライトの輝度分布の情報が必要になるが、バックライトの輝度分布を計算するために要する計算量は多い。直下型のバックライトで拡散板を用いて液晶パネルを照明する構成の表示装置では、１個の発光ブロックからの発光は、その発光ブロックに対応する液晶パネルの領域のみならず、その周囲の領域にも到達する。そのため、ある発光ブロックに対応する液晶パネルの領域におけるバックライト輝度は、その領域に対応する発光ブロックの発光だけではなく、その周囲の発光ブロックの発光の影響を考慮して計算する必要があるからである。バックライトの輝度分布を求めるための計算量が多いと、計算に要する時間が１フレーム期間に収まらない等の課題が生じる可能性がある。
【０００５】
そこで、本発明では、ローカルディミング制御を行う画像表示装置において、バックライトの輝度の計算に要する計算量を低減することを目的とする。
【課題を解決するための手段】
【０００６】
本発明は、独立に発光を制御可能な複数の発光ブロックからなる発光手段と、
画像データに基づき前記発光手段からの光の透過率を調節することにより画像を表示する表示手段と、
前記発光ブロック毎に発光の制御値を決定する決定手段と、
複数の前記発光ブロックの集合である大ブロックにより前記発光手段を分割し、各発光ブロック及び各大ブロックについて、対象フレームとその前フレームとの間の制御値の変化に基づき前記発光手段の輝度の変化を算出することにより、対象フレームにおける前記発光手段の輝度を算出する算出手段と、
を備え、
前記算出手段は、大ブロック毎に、
大ブロックに含まれる制御値に変化がある発光ブロックのうち少なくとも１個の発光ブロックについて、制御値に変化がないとみなすとともに、制御値に変化がない発光ブロック及び制御値に変化がないとみなした発光ブロック以外の発光ブロックについて、制御値の変化に基づく前記発光手段の輝度の変化の算出を行う第１の計算量低減、又は、
大ブロックに含まれる少なくとも２個の発光ブロックについて、制御値の変化が、当該少なくとも２個の発光ブロックの制御値に応じて定められる大ブロック差分に等しいと
みなすとともに、大ブロックと、前記少なくとも２個の発光ブロック以外の発光ブロックと、について、制御値の変化に基づく前記発光手段の輝度の変化の算出を行う第２の計算量低減を行う画像表示装置である。
【０００７】
本発明は、独立に発光を制御可能な複数の発光ブロックからなる発光手段と、
画像データに基づき前記発光手段からの光の透過率を調節することにより画像を表示する表示手段と、を備える画像表示装置の制御方法であって、
前記発光ブロック毎に発光の制御値を決定する決定工程と、
複数の前記発光ブロックの集合である大ブロックにより前記発光手段を分割し、各発光ブロック及び各大ブロックについて、対象フレームとその前フレームとの間の制御値の変化に基づき前記発光手段の輝度の変化を算出することにより、対象フレームにおける前記発光手段の輝度を算出する算出工程と、
を有し、
前記算出工程では、大ブロック毎に、
大ブロックに含まれる制御値に変化がある発光ブロックのうち少なくとも１個の発光ブロックについて、制御値に変化がないとみなすとともに、制御値に変化がない発光ブロック及び制御値に変化がないとみなした発光ブロック以外の発光ブロックについて、制御値の変化に基づく前記発光手段の輝度の変化の算出を行う第１の計算量低減、又は、
大ブロックに含まれる少なくとも２個の発光ブロックについて、制御値の変化が、当該少なくとも２個の発光ブロックの制御値に応じて定められる大ブロック差分に等しいとみなすとともに、大ブロックと、前記少なくとも２個の発光ブロック以外の発光ブロックと、について、制御値の変化に基づく前記発光手段の輝度の変化の算出を行う第２の計算量低減を行う画像表示装置の制御方法である。
【発明の効果】
【０００８】
本発明によれば、ローカルディミング制御を行う画像表示装置において、バックライトの輝度の計算に要する計算量を低減することができる。
【図面の簡単な説明】
【０００９】
【図１】実施例の画像表示装置の構成の一例を示すブロック図
【図２】実施例１の輝度推測計算を説明する図
【図３】実施例１の大ブロックの分割を説明する図
【図４】実施例１のバックライト制御値の差分について説明する図
【図５】実施例１の大ブロック差分と小ブロック差分の組み合わせの一例
【図６】実施例１の大ブロック差分と小ブロック差分の選択処理を示すフロー図
【図７】実施例１の大ブロック差分と小ブロック差分の選択処理を示すフロー図
【図８】大ブロック差分と小ブロック差分の組み合わせを示す図
【図９】実施例２の大ブロック差分と小ブロック差分の組み合わせを示す図
【発明を実施するための形態】
【００１０】
（実施例１）
以下、本発明の実施例１に係る画像表示装置及びその制御方法について説明する。実施例１に係る画像表示装置は液晶パネルと液晶パネルに光を照射するバックライトを有し、バックライトは独立に発光を制御可能な複数の発光ブロックを有する。この複数の発光ブロックにより、実施例１の画像表示装置の画面は複数に分割される。例えば、画像表示装置の画面は、水平方向にＮ分割（Ｎは２以上の整数）、垂直方向にＭ分割（Ｍは２以上の整数）される。なお、発光ブロックによる画像表示装置の画面の分割は、水平方向のみの分割でもよいし、垂直方向のみの分割でもよい。
【００１１】
図１は、実施例１に係る画像表示装置の構成の一例を示すブロック図である。本発明の
実施例１における画像表示装置は、特徴量検出部１、バックライト制御値決定部２、バックライト部３、輝度推測部４、伸長率算出部５、画像補正部６、表示部７を有する。
【００１２】
特徴量検出部１は、入力される画像データから発光ブロックに対応する画像ブロック毎の特徴量を取得する。
バックライト制御値決定部２は、仮バックライト制御値決定部８、ブロック決定部９、バックライト制御値算出部１０、前フレームバックライト制御値保存部１１を有する。バックライト制御値決定部２は、特徴量検出部１より取得した画像ブロック毎の特徴量に基づき、発光ブロック毎に発光の制御値であるバックライト制御値を決定する。
バックライト部３の各発光ブロックの光源は、バックライト制御値決定部２により決定されたバックライト制御値に基づき駆動される。
【００１３】
輝度推測部４は、輝度分布計算部１２と前フレーム輝度分布保存部１３を有し、バックライト制御値決定部２により決定された発光ブロック毎のバックライト制御値からバックライト輝度を算出する。輝度推測部４には、輝度を算出する対象のフレーム（対象フレーム、又は現フレームという）のバックライト制御値と、現フレーム（対象フレーム）より前のフレーム（前フレームという）のバックライト制御値と、の差分の情報が入力される。輝度推測部４は、現フレームのバックライト制御値と前フレームのバックライト制御値との差分に基づき、前フレームのバックライト輝度分布からの輝度の変化を求める。そして、前フレームのバックライト輝度分布に前記輝度の変化を加算して、現フレームのバックライト輝度分布を推測する。
【００１４】
伸長率算出部５は、輝度推測部４により推測されたバックライト輝度分布に基づき画像データの補正を行うための伸長率を算出する。
画像補正部６は、伸長率算出部５により算出された伸長率に基づき画像データを補正する。
表示部７は、画像補正部６により補正された画像データに基づきバックライト部３からの光の透過率を調節することにより画像データに基づく画像を表示する。表示部７は、液晶素子により透過率を調節する液晶パネルや、液晶素子の代わりにＭＥＭＳ（Micro Electro Mechanical System）シャッターを用いたＭＥＭＳシャッター方式の表示パネルとす
ることができる。
【００１５】
実施例１における輝度推測方法について説明する。実施例１においては、各発光ブロックの中心の位置の輝度を推測することによりバックライト全体の輝度分布を推測するものとする。輝度を推測する対象の点を輝度推測点という。実施例１では、ある発光ブロックを発光させた場合に各輝度推測点に対してどのような影響が及ぶか計算することにより、輝度分布を推測する。
【００１６】
具体的には、各発光ブロックを所定の制御値（例えば制御単位の制御値）で発光させた場合の各輝度推測点における輝度（基準輝度分布という）を予め求めて、その情報をテーブル等としてメモリ等の記憶装置に記憶させておく。各発光ブロックのバックライト制御値と基準輝度分布との積を求め、全ての発光ブロックについて和をとることにより、バックライト全体の輝度分布を計算する。実施例１では、バックライトは図２（Ａ）に示すように横６個、縦４個の計２４個の発光ブロックに分割されているものとする。従って、図２（Ｂ）に示すように、バックライト全体の輝度分布を計算するには、２４個の発光ブロックの各々について、バックライト制御値と基準輝度分布との積を求め、和をとる必要がある。
【００１７】
輝度推測部４の前フレーム輝度分布保存部１３には、輝度推測部４が前フレームについて算出したバックライト輝度分布が保存されている。輝度推測部４の輝度分布計算部１２
は、現フレームのバックライト制御値と前フレームのバックライト制御値との差分から、前フレームの輝度分布からの輝度の変化を計算する。輝度分布計算部１２は、求めた輝度の変化を、前フレーム輝度分布保存部１３に保存されている前フレームのバックライト輝度分布に加算して、現フレームのバックライト輝度分布を算出する。このように、実施例１では、前フレームからのバックライト制御値の差分に基づき現フレームのバックライト輝度分布を計算する。バックライト制御値の差分が０の発光ブロックについては輝度の変化の計算をする必要がない。そのため、前フレームからの画像の変化が少なく、前フレームからバックライト制御値が変化した発光ブロックが少ない場合、現フレームのバックライト輝度分布を求めるための計算量は少なくて済む。
【００１８】
前フレームからの画像の変化が大きく、前フレームからバックライト制御値が変化した発光ブロックが多い場合に、現フレームのバックライト輝度分布を求めるための計算量を低減する方法について以下詳細に説明する。発光制御の最小単位である発光ブロックを小ブロックとし、隣接する複数の小ブロックの集合を大ブロックとする。実施例１では、バックライト部３を複数の大ブロックにより分割し、各小ブロック及び各大ブロックについて、現フレームと前フレームとの間のバックライト制御値の変化に基づき、バックライト部３の輝度の変化を算出する。そして、前フレームにおけるバックライト輝度分布に、当該算出した輝度の変化を加算することで、現フレームにおけるバックライト輝度分布を算出する。実施例１では、小ブロック単位でのバックライト制御値の変化（小ブロック差分）と、大ブロック単位でのバックライト制御値の変化（大ブロック差分）と、を求める。そして、小ブロック差分に基づくバックライト輝度分布の変化の計算と、大ブロック差分に基づくバックライト輝度分布の変化の計算と、に分けて、前フレームのバックライト輝度分布からの変化の計算を行う。実施例１では、大ブロック毎に、大ブロック差分の値が０でない大ブロックの数と小ブロック差分の値が０でない小ブロックの数の合計が、大ブロックに含まれる小ブロックの数よりも少ない所定の閾値以下となるように大ブロック差分と小ブロック差分を決定する。これにより、前フレームからの画像の変化が大きい場合であっても、バックライト制御値の差分に基づくバックライト輝度分布の変化の計算を行うブロックの数を閾値以下に抑えることができる。以下、具体的に説明する。
【００１９】
バックライト制御値決定部２の動作について説明する。仮バックライト制御値決定部８は、特徴量検出部１から入力される小ブロック毎の画像の特徴量に基づき、小ブロック毎に仮のバックライト制御値（以下、仮制御値という）を算出する。実施例１においては、小ブロック毎の画像の特徴量として、小ブロック内の画素値の最大値を用いる。なお、特徴量はこれに限らず、画素値の平均値やヒストグラムから求められる統計量等でも良い。
【００２０】
次に、ブロック決定部９が、仮バックライト制御値決定部８により算出された仮制御値と、前フレームバックライト制御値保存部１１に保存されている前フレームのバックライト制御値と、に基づき、大ブロック差分と小ブロック差分を決定する。大ブロック差分と小ブロック差分の決定方法については後述する。ブロック決定部９は、決定した大ブロック差分と小ブロック差分の情報を輝度推測部４とバックライト制御値算出部１０に出力する。
【００２１】
バックライト制御値算出部１０は、ブロック決定部９により決定された大ブロック差分と小ブロック差分を前フレームバックライト制御値保存部１１に保存されている前フレームのバックライト制御値に加算することで、現フレームのバックライト制御値を算出する。バックライト制御値算出部１０により算出されるバックライト制御値を実制御値という。
【００２２】
バックライト部３は、バックライト制御値算出部１０から出力される実制御値により駆動され、発光する。実制御値は、ブロック決定部９により決定される大ブロック差分と小
ブロック差分によっては、仮制御値と同じ値となる場合も、異なる値となる場合もあり得る。
【００２３】
仮バックライト制御値決定部８で算出された小ブロック毎の仮制御値は、各小ブロックに対応する領域の画像の画素の明るさや色を再現するために十分なバックライト輝度を確保するという観点で決定される。このため、実制御値が仮制御値よりも小さな値となった場合、その小ブロックに対応する領域の画素の明るさや色が再現できない可能性がある。その領域の画素の明るさや色を再現するために十分なバックライト輝度に対しバックライト輝度が不足する場合、その領域の画像の画素値を伸長して取り得る最大値に補正したとしても、その画素の明るさや色にならない場合があるからである。逆に実制御値が仮制御値以上である場合には、画像データの伸長率を小さくする、或いは元の画像データよりも画素値を小さくすることで、バックライト輝度の増加分を液晶素子の透過率の低下分で相殺し、元の画素の明るさや色を再現することが可能である。
【００２４】
そこで実施例１では、実制御値が仮制御値を下回らないように、大ブロック差分と小ブロック差分を決定する。すなわち、各小ブロックについて、前フレームの実制御値と、その小ブロックが属する大ブロックについての大ブロック差分の値と、その小ブロックについての小ブロック差分の値と、の和が、現フレームの仮制御値よりも小さくならないようにする。また、バックライト制御値の差分に基づきバックライト輝度分布の変化の計算を行うブロックの総数が閾値以下になるように大ブロック差分と小ブロック差分を決定する。すなわち、大ブロック毎に、大ブロック差分の値が０でない大ブロックの数と、その大ブロックに含まれる小ブロックのうち小ブロック差分の値が０でない小ブロックの数と、の合計が閾値以下になるようにする。閾値は、大ブロックに含まれる小ブロックの数より少ない所定の数である。
【００２５】
図２に示す実施例１のバックライトは、２４個の小ブロックから構成されていることになる。実施例１においては、隣接する横２個、縦２個の小ブロックの集合である２×２のブロックを大ブロックとする。図３に示すように、実施例１ではバックライトは横３個、縦２個の計６個の大ブロックから構成される。図３において、破線で示すブロックＡが大ブロックであり、実線で示すブロックＢが小ブロックである。
【００２６】
大ブロックに含まれる複数の小ブロックのバックライト制御値の差分が全て同じ値である場合、バックライト制御値の差分に基づくバックライト輝度分布の変化の計算は、これら複数の小ブロックの各々について行うのではなく、この１個の大ブロックについて行う。これにより、これら複数の小ブロックの全てについてバックライト制御値の差分に基づくバックライト輝度分布の変化の計算を行う場合と比較して、計算量を削減できる。実施例１の場合、大ブロックに含まれる４個の小ブロックにおけるバックライト制御値の差分に基づくバックライト輝度分布の変化を計算するのに比べ、計算量は１／４に削減できる。大ブロック差分は、大ブロック単位で前フレームからのバックライト制御値の変化を求めたものである。
【００２７】
次に、大ブロック差分と小ブロック差分を決定する方法について説明する。
ある大ブロックにおいて現フレームの仮制御値が図４（Ａ）のようになっており、前フレームの実制御値が図４（Ｂ）のようであったとする。図４（Ｃ）は、前フレームの実制御値と現フレームの仮制御値との差分（以下、基準差分という）を示す。この例では、全ての小ブロックのバックライト制御値が前フレームから変化しており、また基準差分も全ての小ブロック同士で互いに異なっている。そのため、小ブロック毎にバックライト制御値の差分に基づくバックライト輝度分布の変化の計算を行うと上述のように計算量が多くなる。
【００２８】
そこで実施例１では、このような場合、図５（Ａ）に示すように、４個の小ブロックの基準差分から、１個の大ブロック差分と２個の小ブロック差分を決定する。大ブロック差分と小ブロック差分の決定方法の詳細については後述する。
【００２９】
バックライト制御値算出部１０は、ブロック決定部９により決定された大ブロック差分及び小ブロック差分と、前フレームバックライト制御値保存部１１に保存されている前フレームの実制御値と、を小ブロック毎に足し合わせて、現フレームの実制御値を求める。図５（Ａ）の例の場合、現フレームの実制御値は、図５（Ｂ）の右端に示すようになる。図５（Ｂ）の実制御値と図４（Ａ）の仮制御値とを比較すると、左上の小ブロックのみ値が異なっており、図５（Ｂ）の実制御値の方が大きくなっている。すなわち、この小ブロックについては、実制御値と仮制御値との間に誤差がある。しかし、実制御値は仮制御値より大きい値であるため、この実制御値に基づきバックライト部３が駆動された場合でも、バックライト輝度が不足することは避けられる。また、大ブロック差分の値が０でない大ブロックの数と、当該大ブロックに含まれる小ブロックのうち小ブロック差分の値が０でない小ブロックの数と、の合計は、大ブロック１個と小ブロック２個の計３個である。そのため、４個の小ブロック全てについてバックライト制御値の差分に基づくバックライト輝度分布の変化を計算する場合よりも計算量を低減できる。
【００３０】
実施例１では、大ブロック差分の値が０でない大ブロックの数と、当該大ブロックに含まれる小ブロックのうち小ブロック差分の値が０でない小ブロックの数と、の合計が、基準差分によらず３個以下となるように大ブロック差分と小ブロック差分を決定する。すなわち実施例１では閾値は３である。これにより、バックライトを構成する全ての小ブロックについて基準差分が０でない最も画像の変化が大きい場合でも、バックライト制御値の差分に基づくバックライト輝度分布の変化の計算を行う必要があるブロックは、小ブロック４個につき３個以下となる。そのため、全ての小ブロックについてバックライト制御値の差分に基づくバックライト輝度分布の変化の計算を行う場合に比べて計算量を３／４以下に低減できる。
【００３１】
大ブロック差分の値が０でない大ブロックの数と、当該大ブロックに含まれる小ブロックのうち小ブロック差分の値が０でない小ブロックの数と、の合計が３個以下となるように大ブロック差分と小ブロック差分を決定する手順を図６のフローチャートで説明する。
【００３２】
ステップＳ１００において、ブロック決定部９は、対象となる大ブロックに含まれる４個の小ブロックの各々について基準差分を求める。
ステップＳ１０１において、基準差分が０である小ブロックが存在する場合、ブロック決定部９は、ステップＳ１０２に進む。
ステップＳ１０２において、基準差分が０でない小ブロックが３個以下なので、ブロック決定部９は、大ブロック差分の値を０とし、４個の小ブロックについて、その基準差分をそのまま小ブロック差分の値とする。
【００３３】
ステップＳ１０１において、基準差分が０である小ブロックが存在しない場合、ブロック決定部９は、ステップＳ１０３に進む。
ステップＳ１０３において、ブロック決定部９は、４個の小ブロックの基準差分の正負を判定し、４個の小ブロックのうちに基準差分が負であるものが含まれる場合、ステップＳ１０４に進み、基準差分が全て正の場合、ステップＳ１０５に進む。
ステップＳ１０４において、ブロック決定部９は、基準差分が負である小ブロックのうち基準差分の絶対値が最も小さい小ブロックについて、小ブロック差分の値を０とし、他の３個の小ブロックについては小ブロック差分の値を基準差分と等しい値とする。また、ブロック決定部９は、大ブロック差分の値は０とする。
【００３４】
ステップＳ１０５において、ブロック決定部９は、大ブロック差分の値を、４個の小ブロックの基準差分のうち最大の値とする。また、４個の小ブロックのうち基準差分が小さい方から順に選んだ２個の小ブロックについて、それぞれの基準差分から大ブロック差分の値を引いた値を小ブロック差分の値とする。残り１つの小ブロックについては、小ブロック差分の値を０とする。
これにより、大ブロック差分の値が０でない大ブロックの数と、当該大ブロックに含まれる小ブロックのうち小ブロック差分の値が０でない小ブロックの数と、の合計が３個以下となり、かつ、実制御値が仮制御値以上の値となる。
【００３５】
更に具体的に説明する。１個の大ブロックに含まれる４個の小ブロックの基準差分を大きい順にａ、ｂ、ｃ、ｄとすると、その大小関係には以下の５通りがある。
０＜ｄ≦ｃ≦ｂ≦ａ      （１）
ｄ＜０＜ｃ≦ｂ≦ａ      （２）
ｄ≦ｃ＜０＜ｂ≦ａ      （３）
ｄ≦ｃ≦ｂ＜０＜ａ      （４）
ｄ≦ｃ≦ｂ≦ａ＜０      （５）
【００３６】
図６のフローにおいて、（２）〜（５）の場合、ステップＳ１０４に進み、（１）の場合のみ、ステップＳ１０５に進む。
【００３７】
（２）〜（５）の場合、ステップＳ１０４において、ブロック決定部９は、大ブロック差分を０とする。また、ブロック決定部９は、基準差分が負であって絶対値が最も小さい小ブロックについての小ブロック差分の値を０とし、その他の３個の小ブロックについての小ブロック差分の値を各小ブロックの基準差分と等しい値とする。小ブロック差分において値が０とされる小ブロックは、（２）の場合、基準差分ｄの小ブロック、（３）の場合、基準差分ｃの小ブロック、（４）の場合、基準差分ｂの小ブロック、（５）の場合、基準差分ａの小ブロックである。これらの小ブロックの実制御値は仮制御値に対しずれるが、仮制御値より実制御値が大きくなるため、上述したように画素の明るさや色の再現性において問題はない。
【００３８】
（１）の場合、ステップＳ１０５において、ブロック決定部９は、大ブロック差分を、４個の小ブロックの基準差分のうち最も大きい値ａと等しい値とする。また、ブロック決定部９は、４個の小ブロックのうち基準差分が小さい方から順に選んだ２個の小ブロック（基準差分ｄ、ｃの小ブロック）についての小ブロック差分の値を、それぞれ小ブロックの基準差分から大ブロック差分の値ａを減算した値とする。基準差分ｃの小ブロックについては、小ブロック差分の値はｃ−ａ、基準差分ｄの小ブロックについては、小ブロック差分の値はｄ−ａとなる。ブロック決定部９は、残りの小ブロック、すなわち基準差分ｂの小ブロックについては、小ブロック差分の値を０とする。こうすると、基準差分ａ、ｃ、ｄの小ブロックについては、大ブロック差分と小ブロック差分との和が、基準差分（前フレームの実制御値と現フレームの仮制御値との差分）と等しい。そのため、前フレームの実制御値に大ブロック差分と小ブロック差分を加算して算出される現フレームの実制御値は現フレームの仮制御値と同じ値になる。基準差分ｂの小ブロックについては、大ブロック差分と小ブロック差分との和がａとなり、基準差分ｂと異なる値となるが、ａ＞ｂであり、実制御値が仮制御値より大きくなるため、画素の明るさや色の再現性において問題はない。
【００３９】
図４（ｃ）の例の場合、基準差分が全ての小ブロックで正であるため、図６のフローに従うと、ステップＳ１０５に進み、一番大きな基準差分９が大ブロック差分の値となる。
また、基準差分が小さい方から順に選択される２個の小ブロック（基準差分１、３の小ブロック）についての小ブロック差分の値は、基準差分から大ブロック差分の値９を引いた値（それぞれ−８、−６）となる。残り１個の基準差分７の小ブロックについては、小ブロック差分の値は０となる。これにより、図５（Ａ）のように大ブロック差分と小ブロック差分が決定され、図５（Ｂ）に示すように、前フレームの実制御値に大ブロック差分と小ブロック差分を加算した値が現フレームの実制御値となる。現フレームの実制御値のうち、左上の小ブロックについては、図４（Ａ）に示す現フレームの仮制御値と異なる値となっているが、実制御値は仮制御値より大きい値であるので、画素の明るさや色の再現性において問題はない。
【００４０】
以上のように、各大ブロックについて、大ブロックに含まれる複数の小ブロックの基準差分に基づき、大ブロック差分が０でない大ブロックの数と小ブロック差分が０でない小ブロックの数の合計が閾値以下となるように大ブロック差分と小ブロック差分を決定する。これにより、大ブロック差分及び小ブロック差分に基づくバックライト輝度分布の変化の計算に要する計算量を閾値に応じて決まる上限以下に抑えることができる。更に、この方法で求めた現フレームの実制御値が現フレームの画像データの特徴量から求めた仮制御値に対しずれる場合においても、実制御値は仮制御値を下回ることがなく、画素の明るさや色の再現性において問題が生じることを抑制できる。
【００４１】
なお、実施例１において大ブロックを２×２の４個の小ブロックの集合とし、大ブロック差分が０でない大ブロックの数と小ブロック差分が０でない小ブロックの数の合計の閾値を３個とした場合について説明したが、これは一例である。
【００４２】
より一般的には、ブロック決定部９は、大ブロックに含まれる制御値に変化がある（差分が０でない）発光ブロックのうち少なくとも１個の発光ブロックについて、制御値に変化がない（差分が０である）とみなす。輝度推測部４は、制御値に変化がない発光ブロック及び制御値に変化がないとみなされた発光ブロック以外の発光ブロックについて、差分に基づくバックライト輝度分布の変化の計算を行う。言い換えると、輝度推測部４は、差分が０でない発光ブロックのうち差分が０とみなされていない発光ブロックについて、差分に基づくバックライト輝度分布の変化の計算を行う。こうすることにより、差分に基づくバックライト輝度分布の変化の計算を行うブロックの数が減るため、バックライト輝度分布の変化の計算に要する計算量を低減できる。これを第１の計算量低減という。
第１の計算量低減において、制御値の変化が負である発光ブロックについて、制御値に変化がないとみなすことにより、実制御値が仮制御値を下回ることがなくなる。これにより、計算量低減効果に加えてより画像データの再現性を高めた高画質表示が可能となる。
【００４３】
また、ブロック決定部９は、大ブロックに含まれる少なくとも２個の発光ブロックについて、制御値の変化が当該少なくとも２個の発光ブロックの制御値に応じて定められる大ブロック差分に等しいとみなす。輝度推測部４は、大ブロックと、前記少なくとも２個の発光ブロック以外の発光ブロックと、について、差分に基づくバックライト輝度分布の計算を行う。これより、差分に基づくバックライト輝度分布の変化の計算を行うブロックは、大ブロック１個と、前記少なくとも２個の発光ブロック以外の発光ブロック（Ｎ−２個以下）と、を合わせたＮ−１個以下となる。ただし、大ブロックに含まれる発光ブロックの数をＮ個とする。よって、差分に基づくバックライト輝度分布の変化の計算を行うブロックの数が減るため、バックライト輝度分布の変化の計算に要する計算量を低減できる。これを第２の計算量低減という。
第２の計算量低減において、制御値の変化が大ブロック差分以下である少なくとも２個の発光ブロックについて、制御値の変化が大ブロック差分に等しいとみなすことにより、実制御値が仮制御値を下回ることがなくなる。これにより、計算量低減効果に加えてより画像データの再現性を高めた高画質表示が可能となる。
【００４４】
このような計算量低減を実現する手順としては、以下の手順を例示できる。以下、発光制御の最小単位である各発光ブロックを小ブロックという。現フレームの画像データに基づき算出される小ブロック毎の仮制御値と、前フレームについて決定された小ブロック毎の実制御値と、の差分である基準差分を算出する。この基準差分に基づき、以下の２つの条件が成り立つように大ブロック差分及び小ブロック差分を決定する。第１の条件は、大ブロック差分が０でない大ブロックの数と小ブロック差分が０でない小ブロックの数との合計が、大ブロックに含まれる小ブロックの数より少ない所定の閾値以下であることである。第２の条件は、前フレームについて決定された小ブロック毎の実制御値と、大ブロック差分の値と、小ブロック差分の値と、の和として算出される現フレームについての小ブロック毎の実制御値が、小ブロック毎の仮制御値以上であることである。これらの条件を満たす大ブロック差分と小ブロック差分を求める手順として、例えば以下のような手順をとればよい。なお、上記の条件を満たす大ブロック差分と小ブロック差分を求める手順は下記の手順に限らない。
【００４５】
大ブロックに含まれる小ブロックのうち基準差分が０でない小ブロックの数が閾値以下である場合、当該大ブロックについての大ブロック差分の値を０とする。また、当該大ブロックに含まれる各小ブロックについての小ブロック差分の値を当該各小ブロックの基準差分と等しい値とする。
【００４６】
また、大ブロックに含まれる小ブロックのうち基準差分が０でない小ブロックの数が閾値より多く、かつ、基準差分が正である小ブロックの数が閾値以下である場合、当該大ブロックについての大ブロック差分の値を０とする。また、当該大ブロックに含まれる小ブロックのうち基準差分が正である小ブロックについての小ブロック差分の値を、当該各小ブロックの基準差分と等しい値とする。また、基準差分が負である小ブロックのうち基準差分の絶対値が大きい方から順に、基準差分が正である小ブロックの数との合計が閾値と同数となるように選択した小ブロックについても、小ブロック差分の値を当該各小ブロックの基準差分と等しい値とする。また、残りの小ブロックについての小ブロック差分の値を０とする。
【００４７】
また、大ブロックに含まれる、基準差分が０でない小ブロックの数が閾値より多く、かつ、基準差分が正の小ブロックの数が閾値より多い場合、当該大ブロックの大ブロック差分の値を、当該大ブロックに含まれる小ブロックの基準差分のうち最も大きい値とする。また、当該大ブロックに含まれる小ブロックのうち基準差分が小さい方から順に選択される閾値より１少ない数の小ブロックのそれぞれについての前記小ブロック差分の値を当該各小ブロックの基準差分の値から大ブロック差分の値を引いた値とする。また、それ以外の小ブロックについての小ブロック差分の値を０とする。
【００４８】
例えば、３×３の隣接する９個の小ブロックの集合を大ブロックとし、大ブロック差分が０でない大ブロックの数と小ブロック差分が０でない小ブロックの数の合計の閾値を６個とする場合、図７に示すフローによって大ブロック差分と小ブロック差分を決定する。この場合、計算量は、全ての小ブロックについてバックライト制御値に基づくバックライト輝度分布の変化の計算を行う場合と比べて２／３以下に削減できる。
【００４９】
ステップＳ２００において、ブロック決定部９は、対象となる大ブロックに含まれる９個の小ブロックの各々について基準差分を求める。
ステップＳ２０１において、ブロック決定部９は、基準差分が０でない小ブロックの数が６個以下か否か判定し、６個以下の場合はステップＳ２０２に進み、６個より多い場合はステップＳ２０３に進む。
ステップＳ２０２において、ブロック決定部９は、大ブロック差分の値を０とし、９個
の小ブロックについての小ブロック差分の値を各小ブロックの基準差分と等しい値とする。
ステップＳ２０３において、ブロック決定部９は、基準差分が正である小ブロックの数が６個以下か否か判定し、６個以下の場合はステップＳ２０４に進み、６個より多い場合はステップＳ２０５に進む。
【００５０】
ステップＳ２０４において、ブロック決定部９は、第１の計算量低減を行う。すなわち、基準差分が負であって絶対値が小さい小ブロックについて優先的に、小ブロック差分の値を０とする。それ以外の小ブロックについては、小ブロック差分の値を基準差分と等しい値とする。言い換えると、大ブロック差分の値を０とし、また、基準差分が正である小ブロックについての小ブロック差分の値を、当該各小ブロックの基準差分と等しい値とする。また、基準差分が負の小ブロックのうち基準差分の絶対値が大きい方から優先的に、基準差分が正である小ブロックの数との合計が６個となるように選択した小ブロックについても、小ブロック差分の値を当該各小ブロックの基準差分と等しい値とする。また、残りの小ブロックについて小ブロック差分の値を０とする。
【００５１】
ステップＳ２０５において、ブロック決定部９は、大ブロック差分の値を、当該大ブロックに含まれる９個の小ブロックの基準差分のうち最も大きい値とする。また、９個の小ブロックのうち基準差分が小さい方から順に選択される５個の小ブロックのぞれぞれについての小ブロック差分の値を、当該各小ブロックの基準差分から大ブロック差分の値を引いた値とする。また、残りの小ブロックについては、小ブロック差分の値を０とする。
【００５２】
９個の小ブロックの差分を大きい方からａ，ｂ，ｃ，ｄ，ｅ，ｆ，ｇ，ｈ，ｉとしてステップＳ２０２，Ｓ２０４，Ｓ２０５で大ブロック差分と小ブロック差分がどのように決定されるかを図８の表に示す。
このように大ブロック差分と小ブロック差分を決定することにより、大ブロック差分の値が０でない大ブロックの数と小ブロック差分の値が０でない小ブロックの数との合計が６個以下となり、かつ、実制御値が仮制御値以上となる。よって、現フレームのバックライト輝度分布の計算に要する計算量を低減しつつ、バックライトの輝度不足が生じることを抑制できる。
【００５３】
実施例１では、現フレームと前フレームのバックライト制御値の差分に基づいて、前フレームのバックライト輝度分布からの輝度の変化を計算し、これを前フレームのバックライト輝度分布の計算結果に加算して、現フレームのバックライト輝度分布を計算する。このため、現フレームと前フレームのバックライト制御値の差分が０となる小ブロックが多い場合、すなわち画像の変化が少ない場合には、少ない計算量で現フレームのバックライト輝度分布を算出できる。また、現フレームと前フレームのバックライト制御値の差分が０となる小ブロックが少ない場合、すなわち画像の変化が多い場合でも、上記のように決定した大ブロック差分と小ブロック差分に基づき前フレームのバックライト輝度分布からの輝度の変化を計算する。大ブロック差分の値が０でない大ブロックの数と小ブロック差分の値が０でない小ブロックの数との合計が閾値以下となるように大ブロック差分と小ブロック差分を決定するので、画像の変化が多い場合でもバックライト輝度分布の算出に要する計算量を抑制できる。実施例１では、現フレームの実制御値は、前フレームの実制御値と大ブロック差分と小ブロック差分との和として決定されるため、現フレームの仮制御値と実制御値とが異なる値となる場合がある。しかし、仮制御値より実制御値が小さくならないように大ブロック差分と小ブロック差分が決定されるため、画素の明るさや色の再現性の低下を抑制できる。
【００５４】
（実施例２）
実施例２では、ブロック決定部９による大ブロック差分と小ブロック差分の決定方法が
実施例１と異なる。実施例２の画像表示装置の構成は実施例１と同じである。実施例２では、実施例１で説明した第１の条件と第２の条件が成り立つように大ブロック差分と小ブロック差分を決定する点は実施例１と同様である。すなわち、大ブロック差分の値が０でない大ブロックの数と小ブロック差分の値が０でない小ブロックの数との合計が、大ブロックに含まれる小ブロックの数より小さい所定の閾値以下となるように大ブロック差分と小ブロック差分を決定する。また、前フレームの実制御値と、大ブロック差分の値と、小ブロック差分の値と、の和として算出される現フレームの実制御値が、現フレームの画像データに基づき算出される仮制御値よりも小さくならないように、大ブロック差分と小ブロック差分を決定する。実施例２では、上記の条件を満たす大ブロック差分と小ブロック差分の値の組み合わせに複数通りの組み合わせがある場合に、現フレームの実制御値と仮制御値とが異なる小ブロックの実制御値と仮制御値との誤差が極力小さくなる組み合わせを選択する。以下にその詳細を説明する。
【００５５】
ここでは大ブロックは２×２の４個の小ブロックの集合であるとする。
大ブロックに含まれる４個の小ブロックのうちに基準差分が０である小ブロックが存在する場合、大ブロック差分の値を０とし、全ての小ブロックについての小ブロック差分の値を各小ブロックの基準差分と等しい値とする。これは実施例１と同様である。
【００５６】
大ブロックに含まれる４個の小ブロックのうちに基準差分が０である小ブロックが存在しない場合、４個の小ブロックの基準差分を大きい方から順にａ、ｂ、ｃ、ｄとすると、その大小関係は実施例１で説明したように５通りある。
【００５７】
図９に示すように、（１）〜（５）の各大小関係において、上記第１の条件と第２の条件を満たす大ブロック差分と小ブロック差分の値の組み合わせは、複数通り考えられる。実施例２では、上記の第１の条件と第２の条件を満たす複数通りの大ブロック差分と小ブロック差分の値の組み合わせのうち、最も誤差の少ない組み合わせを選択する。ここで、誤差とは、現フレームについて決定した実制御値と、現フレームについて算出した仮制御値と、の差である。現フレームの実制御値は、前フレームの実制御値と、大ブロック差分の値と、小ブロック差分の値と、の和として決定される。誤差が生じる小ブロックは、大ブロック差分の値と小ブロック差分の値との和が基準差分と等しくならない小ブロックであり、基準差分の値によらず小ブロック差分の値を０に設定する小ブロックである。
【００５８】
例えば、全ての差分が正である図９の（１）の場合、次の（１）〜（３）のような大ブロック差分と小ブロック差分の値の組み合わせがある。
（１）大ブロック差分の値をａとする。基準差分ｂの小ブロックについての小ブロック差分の値を０とする。残りの小ブロック（基準差分ｃ、ｄ）についての小ブロック差分の値を、当該各小ブロックの基準差分の値から大ブロック差分の値を引いた値とする（ｃ−ａ，ｄ−ａ）。この場合、小ブロック差分の値を０とした小ブロックについては、実制御値と仮制御値との誤差はａ−ｂとなる。差分が０でない大ブロックと小ブロックの数の合計は３個となり、小ブロック差分の値を０とした小ブロックについては仮制御値より実制御値が大きいため、条件を満たす。
（２）大ブロック差分の値をｂとする。基準差分ｃの小ブロックについての小ブロック差分の値を０とする。残りの小ブロック（基準差分ａ、ｄ）についての小ブロック差分の値を、当該各小ブロックの基準差分の値から大ブロック差分の値を引いた値とする（ａ−ｂ，ｄ−ｂ）。この場合、小ブロック差分の値を０とした小ブロックについては、実制御値と仮制御値との誤差はｂ−ｃとなる。差分が０でない大ブロックと小ブロックの数の合計は３個となり、小ブロック差分の値を０とした小ブロックについては仮制御値より実制御値が大きいため、条件を満たす。
（３）大ブロック差分の値をｃとする。基準差分ｄの小ブロックについての小ブロック差分の値を０とする。残りの小ブロック（基準差分ａ、ｂ）についての小ブロック差分の
値を、当該各小ブロックの基準差分の値から大ブロック差分の値を引いた値とする（ａ−ｃ，ｂ−ｃ）。この場合、小ブロック差分の値を０とした小ブロックについては、実制御値と仮制御値との誤差はｃ−ｄとなる。差分が０でない大ブロックと小ブロックの数の合計は３個となり、小ブロック差分の値を０とした小ブロックについては仮制御値より実制御値が大きいため、条件を満たす。
【００５９】
実施例２では、上記の３通りの大ブロック差分と小ブロック差分の値の組み合わせそれぞれの誤差ａ−ｂ，ｂ−ｃ，ｃ−ｄを比較し、誤差が最も小さくなる大ブロック差分と小ブロック差分の値の組み合わせを選択する。
【００６０】
実施例２では、大ブロック差分の値が０でない大ブロックの数と小ブロック差分の値が０でない小ブロックの数との合計が閾値以下となるので、バックライト制御値の差分に基づくバックライト輝度分布の変化の計算に要する計算量を抑制できる。更に、画像データの特徴量から求められた仮制御値と実際のバックライトの駆動に用いられる実制御値との誤差を少なくすることができるので、ローカルディミングによる高画質化効果も十分に得ることができる。なお、実施例２では１個の大ブロックが４個の小ブロックで構成される場合を例に説明したが、これに限らない。例えば、実施例１で説明したように、１個の大ブロックが９個の小ブロックで構成される場合にも実施例２の考え方を適用できる。
【００６１】
大ブロック差分及び小ブロック差分を決定する手順は、実施例１、２に示した方法に限定されない。上述した第１の条件と第２の条件を満たす大ブロック差分及び小ブロック差分を決定することができれば他の手順でも良い。
【符号の説明】
【００６２】
２：バックライト制御値決定部、３：バックライト部、４：輝度推測部、７：表示部
【図１】
2015179178.tif 000003
【図２】
2015179178.tif 000004
【図３】
2015179178.tif 000005
【図４】
2015179178.tif 000006
【図５】
2015179178.tif 000007
【図６】
2015179178.tif 000008
【図７】
2015179178.tif 000009
【図８】
2015179178.tif 000010
【図９】
2015179178.tif 000011